(57)【要約】【課題】簡便な構成を有し、格納可能な可動式のフィルタ部材を備えるフィルタ構造を提供する。【解決手段】回転軸１８を中心として動作可能なフィルタ部材１０であって、冷却液流路１００の内部に配置された、フィルタ部材１０と、冷却液流路１００の外側からフィルタ部材１０の動作を制御するフィルタ操作部材であって、フィルタ部材１０の第１磁石部２０と、冷却液流路１００の壁面を挟んで磁気的に固定されている操作レバーを有するフィルタ操作部材と、を備える。フィルタ制御部材の動作に連動してフィルタ部材１０が動作し、フィルタ格納部２２に格納される。【選択図】図１
2012253256.tif 000002
【特許請求の範囲】
【請求項１】
冷却液を流通させる冷却液流路内の異物を捕捉するためのフィルタ構造であって、
前記冷却液の流通方向に対して垂直に保持された回転軸を有し、前記回転軸を中心として動作可能なフィルタ部材であって、前記冷却液流路の内部に配置された、フィルタ部材と、
前記冷却液流路の外側から前記フィルタ部材の動作を制御するフィルタ制御部材であって、前記フィルタ部材と、前記冷却液流路の壁面を挟んで磁気的に固定されている、フィルタ制御部材と、
を備え、
前記フィルタ制御部材の動作に連動して前記フィルタ部材が回転動作することを特徴とするフィルタ構造。
【発明の詳細な説明】
【技術分野】
【０００１】
本発明は、フィルタ構造に関し、特に冷却液流路内の異物を捕捉するためのフィルタ構造に関する。
【背景技術】
【０００２】
冷却水などの冷却媒体や空気調和装置で用いられる空気に含まれるゴミなどの異物を除去するために、流路内にフィルタを配置することが知られている（例えば、特許文献１〜２）。
【先行技術文献】
【特許文献】
【０００３】
【特許文献１】実開昭６２−１２１１１６号公報
【特許文献２】特開２００８−１５３５０７号公報
【発明の概要】
【発明が解決しようとする課題】
【０００４】
簡便な構成を有し、格納可能な可動式のフィルタ部材を備えるフィルタ構造を提供する。
【課題を解決するための手段】
【０００５】
本発明は、冷却液を流通させる冷却液流路内の異物を除去するためのフィルタ構造であって、前記冷却液の流通方向に対して垂直に保持された回転軸を有し、前記回転軸を中心として動作可能なフィルタ部材であって、前記冷却液流路の内部に配置された、フィルタ部材と、前記冷却液流路の外側から前記フィルタ部材の動作を制御するフィルタ制御部材であって、前記フィルタ部材と、前記冷却液流路の壁面を挟んで磁気的に固定されている、フィルタ制御部材と、を備え、前記フィルタ制御部材の動作に連動して前記フィルタ部材が回転動作する、フィルタ構造である。
【発明の効果】
【０００６】
簡便な構成を有し、格納可能な可動式のフィルタ部材を備えるフィルタ構造を提供することが可能となる。
【図面の簡単な説明】
【０００７】
【図１】本発明の実施の形態におけるフィルタ構造を備える冷却液流路であって、特に冷却液流路の内部に配置されたフィルタ部材の構成の概略の一例を説明するための図である。
【図２】図１に示す冷却液流路であって、特に冷却液流路の外側に配置されたフィルタ格納レバーの構成の概略の一例を説明するための図である。
【発明を実施するための形態】
【０００８】
以下、図面を用いて詳細に説明する。
【０００９】
図１、図２は、本発明の実施の形態におけるフィルタ構造が搭載された冷却液流路の構成の概略を例示した図である。図１、図２に示す冷却液流路１００には、冷却液流路１００の内部に配置されたフィルタ部材１０と、冷却液流路１００の外部に配置されたフィルタ制御部材２６と、を備える。フィルタ部材１０の構成については図１に、フィルタ制御部材２６の構成については図２に、より詳細に示している。
【００１０】
図１に示すフィルタ部材１０は、冷却液の流れ方向２４に対して垂直に保持された回転軸１８を有する固定端１２と、フィルタ部１６を挟んで固定端１２と対向するように配置された第１磁石部２０を有する可動端１４とを有する。近傍に回転軸１８が保持された冷却液流路１００の内壁面（図１に示す一例では、底面）側には、フィルタ部材１０を格納可能なフィルタ格納部２２が形成されている。図１（ａ）に示すように、冷却液の流れ方向２４に対して所定の角度で対向するようにフィルタ部材１０を立ち上げ、このフィルタ部材１０により冷却液流路１００を塞ぐと、本実施の形態のフィルタ構造は、冷却液流路１００を流通する異物を捕捉するフィルタとしての機能を発揮する。
【００１１】
これに対し、図１（ａ）に示すように冷却水流路１００を塞ぐように配置された状態のフィルタ部材１０は、異物を捕捉すると、その大きさや量によっては通水抵抗が大きくなり、所望の流量および／または流速で冷却水を流通させることが困難になる場合もありえる一方、フィルタ部材１０の除去または交換も困難である。また、フィルタ部材１０を除去または交換する際に新たに異物が混入する可能性も否定できない。そこで、図１（ｂ）に示すように回転軸１８を中心としてフィルタ部材１０を動作させ、フィルタ部材１０をフィルタ格納部２２に格納することにより、フィルタ部材１０の除去または交換をすることなく、冷却液流路１００内部の通水抵抗の増大を防止または抑制することが可能となる。
【００１２】
図２は、図１に示すフィルタ部材１０の動作を簡便に実現可能とするための、フィルタ制御部材２６の一例を説明するための図である。
【００１３】
図２に示すフィルタ制御部材２６は、操作レバー２８と、操作レバー２８の端部であって、冷却液流路１００の壁面３２に接するように設けられた第２磁石部３０とを備える。第２磁石部３０には、フィルタ部材に設けられた第１磁石部（図１参照）に対して吸引力が働く材料が配置されている。このため、冷却液流路１００の壁面３２を挟んで第１磁石部と第２磁石部３０とが互いに吸引することにより、フィルタ部材とフィルタ制御部材２６とが磁気的に固定されている。図１に示す第１磁石部２０と図２に示す第２磁石部３０とはそれぞれ、互いに異なる極性を有する磁石で構成することができる。なお、他の実施の形態として、図１に示す第１磁石部２０と図２に示す第２磁石部３０のうち、いずれか一方のみを磁石とし、他方を例えば鉄などの磁石に吸引される物質で構成することもできる。
【００１４】
図２において、矢印３４に示すようにフィルタ制御部材２６を動作させると、操作レバー２８の動作に連動してフィルタ部材１０が動作する。このとき、図１（ｂ）に示すようにフィルタ部材１０がフィルタ格納部２２に適切に格納される。なお、図２に示すフィルタ制御部材２６の動作は手動式とすることができるが、他の実施の形態として、電動式であっても、さらには両用であっても良い。
【００１５】
このように、本実施の形態によれば、比較的簡便な構成を有し、不要時には格納可能な可動式のフィルタ部材を備える冷却液流路のフィルタ構造を提供することが可能となる。
【産業上の利用可能性】
【００１６】
本発明は、発熱体を適正な温度に保つための冷却システムに利用することが可能である。
【符号の説明】
【００１７】
１０  フィルタ部材、１２  固定端、１４  可動端、１６  フィルタ部、１８  回転軸、２０  第１磁石部、２２  フィルタ格納部、２６  フィルタ制御部材、２８  操作レバー、３０  第２磁石部、３２  壁面、１００  冷却液流路。
【図１】
2012253256.tif 000003
【図２】
2012253256.tif 000004